【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
加工流体が、加工中に適用され、該加工流体は、一種以上のヒドロフルオロカーボンおよび一種以上の潤滑性添加剤を含み、該潤滑性添加剤は、約２００℃〜約３５０℃の範囲の沸点を有する、金属、サーメットまたは複合材の加工方法。
【請求項２】
ヒドロフルオロカーボンは、
ＣＦ3ＣＨ2ＣＦ2ＣＨ3、    ＣＦ3ＣＦ2ＣＨ2ＣＨ2Ｆ、
ＣＨ3ＣＦ（ＣＨＦ2）ＣＨＦ2、    ＣＦ3ＣＨ2ＣＦ2ＣＨ2Ｆ、
ＣＦ3ＣＨ2ＣＨ2ＣＦ3、    ＣＨ2ＦＣＦ2ＣＦ2ＣＨ2Ｆ2、
ＣＨＦ（ＣＦ3）ＣＦ2ＣＦ3、    ＣＨＦ2（ＣＦ2）2ＣＦ2Ｈ、
ＣＨ3ＣＨＦＣＦ2ＣＦ3、    ＣＨＦ2ＣＨ（ＣＦ3）ＣＦ3、
ＣＦ3ＣＨＦＣＨＦＣＦ2ＣＦ3、    ＣＨ3ＣＨＦＣＦ2ＣＦ2ＣＦ3、
ＣＦ3ＣＨ2ＣＦ2ＣＨ2ＣＦ3、    ＣＦ3ＣＨ2ＣＨ2ＣＦ2ＣＦ3、
ＣＨ3ＣＦ2ＣＦ2ＣＦ2ＣＦ3、    ＣＦ3ＣＨ2ＣＨＦＣＨ2ＣＦ3、
ＣＦ3ＣＨ2ＣＦ2ＣＨ2ＣＨ2Ｆ、    ＣＨＦ2ＣＦ2ＣＦ2ＣＦ2ＣＦ3、
ＣＨ3ＣＦ（ＣＦ2Ｈ）ＣＨＦＣＨＦ2、    ＣＨＦ2ＣＦ2ＣＦ（ＣＦ3）2、
ＣＨ3ＣＦ（ＣＨＦＣＨＦ2）ＣＦ3、    ＣＨ3ＣＨＦＣＨＦＣＦ2ＣＦ3、
ＣＨ3ＣＨ（ＣＦ2ＣＦ3）ＣＦ3、    ＣＦ3ＣＦ2ＣＦ2ＣＨ2ＣＨ3、
ＣＨＦ2ＣＨ（ＣＨＦ2）ＣＦ2ＣＦ3、    ＣＨ2ＦＣＦ2ＣＦ2ＣＦ2ＣＦ3、
ＣＨＦ2ＣＦ（ＣＨＦ2）ＣＦ2ＣＦ3、    ＣＨ3ＣＨＦＣＨ2ＣＦ2ＣＦ3、
ＣＨＦ2（ＣＦ2）4ＣＦ2Ｈ、    ＣＨ3ＣＦ2ＣＨ2ＣＨ2ＣＦ2ＣＦ3、
ＣＨ2ＣＨ2ＣＨ2ＣＦ2ＣＦ2ＣＦ3、    （ＣＦ3ＣＨ2）2ＣＨＣＦ3、
ＣＨ3ＣＨ2ＣＦＨＣＦＨＣＦ2ＣＦ3、    ＣＨ3ＣＨＦＣＦ2ＣＨＦＣＨＦＣＦ3、
ＣＨ3ＣＨＦＣＨ2ＣＦ2ＣＨＦＣＦ3、    ＣＦ2ＨＣＨＦＣＦ2ＣＦ2ＣＨＦＣＦ2Ｈ、
ＣＨ2ＦＣＦ2ＣＦ2ＣＦ2ＣＦ2ＣＦ2Ｈ、    ＣＨＦ2ＣＦ2ＣＦ2ＣＦ2ＣＦ2ＣＨＦ2、
ＣＨＦ2ＣＦ2ＣＦ2ＣＦ2ＣＦ3、    ＣＨ3ＣＨ（ＣＨＦＣＨ2ＣＦ3）ＣＦ3、
ＣＨ3ＣＦ（ＣＦ2Ｈ）ＣＨＦＣＨＦＣＦ3、    ＣＨ3ＣＦ（ＣＦ3）ＣＨＦＣＨＦＣＦ3、
ＣＨ3ＣＦ2ＣＦ（ＣＦ3）2ＣＦ2ＣＨ3、    ＣＨ3ＣＦ（ＣＦ3）ＣＦ2ＣＦ2ＣＦ3、
ＣＨＦ2ＣＦ2ＣＨ（ＣＦ3）ＣＦ2ＣＦ3、    ＣＨＦ2ＣＦ2ＣＦ（ＣＦ3）ＣＦ2ＣＦ3、
ＣＨ3ＣＨ2ＣＨ2ＣＨＦＣＦ2ＣＦ2ＣＦ3、    ＣＨ3ＣＨＦＣＨ2ＣＦ2ＣＨＦＣＦ2ＣＦ3
、
ＣＨ3（ＣＦ2）5ＣＨ3、    ＣＨ3ＣＨ2（ＣＦ2）4ＣＦ3、
ＣＦ3ＣＨ2ＣＨ2（ＣＦ2）3ＣＦ3、    ＣＨ2ＦＣＦ2ＣＨＦ（ＣＦ2）3ＣＦ3、
ＣＦ3ＣＦ2ＣＦ2ＣＨＦＣＨＦＣＦ2ＣＦ3、    ＣＦ3ＣＦ2ＣＦ2ＣＨＦＣＦ2ＣＦ2ＣＦ3、
ＣＨ3ＣＨ2ＣＨ2ＣＨＦＣＦ（ＣＦ3）2、    ＣＨ3ＣＨ（ＣＦ3）ＣＦ2ＣＦ2ＣＦ2ＣＨ3、
ＣＨ3ＣＦ（ＣＦ3）ＣＨ2ＣＦＨＣＦ2ＣＦ3、    ＣＨ3ＣＦ（ＣＦ2ＣＦ3）ＣＨＦＣＦ2ＣＦ3、
ＣＨ3ＣＨ2ＣＨ（ＣＦ3）ＣＦ2ＣＦ2ＣＦ3、    ＣＨＦ2ＣＦ（ＣＦ3）（ＣＦ2）3ＣＨ2Ｆ、
ＣＨＦ2ＣＦ（ＣＦ3）（ＣＦ2）3ＣＦ3、    ＣＨ3ＣＨ2ＣＨ2ＣＨ2ＣＦ2ＣＦ2ＣＦ2ＣＦ3、
ＣＨ3（ＣＦ2）6ＣＨ3、    ＣＨＦ2ＣＦ（ＣＦ3）（ＣＦ2）4ＣＨＦ3、
ＣＨＦ2ＣＦ（ＣＦ3）（ＣＦ2）4ＣＨＦ2、    ＣＨ3ＣＨ2ＣＨ（ＣＦ3）ＣＦ2ＣＦ2ＣＦ2ＣＦ3、
ＣＨ3ＣＦ（ＣＦ2ＣＦ3）ＣＨＦＣＦ2ＣＦ2ＣＦ3、    ＣＨ3ＣＦ（ＣＦ2ＣＦ3）ＣＨＦＣＦ2ＣＦ2ＣＦ3、
ＣＨ3ＣＨ2ＣＨ2ＣＨＦＣ（ＣＦ3）2ＣＦ3、    ＣＨ3Ｃ（ＣＦ3）2ＣＦ2ＣＦ2ＣＦ2ＣＨ3、
ＣＨ3ＣＨ2ＣＨ2ＣＦ（ＣＦ3）ＣＦ（ＣＦ3）2、およびＣＨ2ＦＣＦ2ＣＦ2ＣＨＦ（ＣＦ2）3ＣＦ3
からなる群から選択される、請求項１に記載の金属、サーメットまたは複合材の加工方法。
【請求項３】
前記潤滑性添加剤は、エステル、アルキレングリコールエーテルおよびこれらの混合物からなる群から選択される、請求項１に記載の金属、サーメットまたは複合材の加工方法。
【請求項４】
一種以上のヒドロフルオロカーボンおよび一種以上の潤滑性添加剤を含む加工流体であって、該潤滑性添加剤は、約２００℃〜約３５０℃の範囲の沸点を有し、該潤滑性添加剤はエステル、アルキレングリコールエーテル及びそれらの混合物からなる群より選ばれる、加工流体。
【請求項５】
前記ヒドロフルオロカーボンは、
ＣＦ3ＣＨ2ＣＦ2ＣＨ3、    ＣＦ3ＣＦ2ＣＨ2ＣＨ2Ｆ、
ＣＨ3ＣＦ（ＣＨＦ2）ＣＨＦ2、    ＣＦ3ＣＨ2ＣＦ2ＣＨ2Ｆ、
ＣＦ3ＣＨ2ＣＨ2ＣＦ3、    ＣＨ2ＦＣＦ2ＣＦ2ＣＨ2Ｆ2、
ＣＨＦ（ＣＦ3）ＣＦ2ＣＦ3、    ＣＨＦ2（ＣＦ2）2ＣＦ2Ｈ、
ＣＨ3ＣＨＦＣＦ2ＣＦ3、    ＣＨＦ2ＣＨ（ＣＦ3）ＣＦ3、
ＣＦ3ＣＨＦＣＨＦＣＦ2ＣＦ3、    ＣＨ3ＣＨＦＣＦ2ＣＦ2ＣＦ3、
ＣＦ3ＣＨ2ＣＦ2ＣＨ2ＣＦ3、    ＣＦ3ＣＨ2ＣＨ2ＣＦ2ＣＦ3、
ＣＨ3ＣＦ2ＣＦ2ＣＦ2ＣＦ3、    ＣＦ3ＣＨ2ＣＨＦＣＨ2ＣＦ3、
ＣＦ3ＣＨ2ＣＦ2ＣＨ2ＣＨ2Ｆ、    ＣＨＦ2ＣＦ2ＣＦ2ＣＦ2ＣＦ3、
ＣＨ3ＣＦ（ＣＦ2Ｈ）ＣＨＦＣＨＦ2、    ＣＨＦ2ＣＦ2ＣＦ（ＣＦ3）2、
ＣＨ3ＣＦ（ＣＨＦＣＨＦ2）ＣＦ3、    ＣＨ3ＣＨＦＣＨＦＣＦ2ＣＦ3、
ＣＨ3ＣＨ（ＣＦ2ＣＦ3）ＣＦ3、    ＣＦ3ＣＦ2ＣＦ2ＣＨ2ＣＨ3、
ＣＨＦ2ＣＨ（ＣＨＦ2）ＣＦ2ＣＦ3、    ＣＨ2ＦＣＦ2ＣＦ2ＣＦ2ＣＦ3、
ＣＨＦ2ＣＦ（ＣＨＦ2）ＣＦ2ＣＦ3、    ＣＨ3ＣＨＦＣＨ2ＣＦ2ＣＦ3、
ＣＨＦ2（ＣＦ2）4ＣＦ2Ｈ、    ＣＨ3ＣＦ2ＣＨ2ＣＨ2ＣＦ2ＣＦ3、
ＣＨ2ＣＨ2ＣＨ2ＣＦ2ＣＦ2ＣＦ3、    （ＣＦ3ＣＨ2）2ＣＨＣＦ3、
ＣＨ3ＣＨ2ＣＦＨＣＦＨＣＦ2ＣＦ3、    ＣＨ3ＣＨＦＣＦ2ＣＨＦＣＨＦＣＦ3、
ＣＨ3ＣＨＦＣＨ2ＣＦ2ＣＨＦＣＦ3、    ＣＦ2ＨＣＨＦＣＦ2ＣＦ2ＣＨＦＣＦ2Ｈ、
ＣＨ2ＦＣＦ2ＣＦ2ＣＦ2ＣＦ2ＣＦ2Ｈ、    ＣＨＦ2ＣＦ2ＣＦ2ＣＦ2ＣＦ2ＣＨＦ2、
ＣＨＦ2ＣＦ2ＣＦ2ＣＦ2ＣＦ3、    ＣＨ3ＣＨ（ＣＨＦＣＨ2ＣＦ3）ＣＦ3、
ＣＨ3ＣＦ（ＣＦ2Ｈ）ＣＨＦＣＨＦＣＦ3、    ＣＨ3ＣＦ（ＣＦ3）ＣＨＦＣＨＦＣＦ3、
ＣＨ3ＣＦ2ＣＦ（ＣＦ3）2ＣＦ2ＣＨ3、    ＣＨ3ＣＦ（ＣＦ3）ＣＦ2ＣＦ2ＣＦ3、
ＣＨＦ2ＣＦ2ＣＨ（ＣＦ3）ＣＦ2ＣＦ3、    ＣＨＦ2ＣＦ2ＣＦ（ＣＦ3）ＣＦ2ＣＦ3、
ＣＨ3ＣＨ2ＣＨ2ＣＨＦＣＦ2ＣＦ2ＣＦ3、    ＣＨ3ＣＨＦＣＨ2ＣＦ2ＣＨＦＣＦ2ＣＦ3、
ＣＨ3（ＣＦ2）5ＣＨ3、    ＣＨ3ＣＨ2（ＣＦ2）4ＣＦ3、
ＣＦ3ＣＨ2ＣＨ2（ＣＦ2）3ＣＦ3、    ＣＨ2ＦＣＦ2ＣＨＦ（ＣＦ2）3ＣＦ3、
ＣＦ3ＣＦ2ＣＦ2ＣＨＦＣＨＦＣＦ2ＣＦ3、    ＣＦ3ＣＦ2ＣＦ2ＣＨＦＣＦ2ＣＦ2ＣＦ3、
ＣＨ3ＣＨ2ＣＨ2ＣＨＦＣＦ（ＣＦ3）2、    ＣＨ3ＣＨ（ＣＦ3）ＣＦ2ＣＦ2ＣＦ2ＣＨ3、
ＣＨ3ＣＦ（ＣＦ3）ＣＨ2ＣＦＨＣＦ2ＣＦ3、    ＣＨ3ＣＦ（ＣＦ2ＣＦ3）ＣＨＦＣＦ2ＣＦ3、
ＣＨ3ＣＨ2ＣＨ（ＣＦ3）ＣＦ2ＣＦ2ＣＦ3、    ＣＨＦ2ＣＦ（ＣＦ3）（ＣＦ2）3ＣＨ2Ｆ、
ＣＨＦ2ＣＦ（ＣＦ3）（ＣＦ2）3ＣＦ3、    ＣＨ3ＣＨ2ＣＨ2ＣＨ2ＣＦ2ＣＦ2ＣＦ2ＣＦ3、
ＣＨ3（ＣＦ2）6ＣＨ3、    ＣＨＦ2ＣＦ（ＣＦ3）（ＣＦ2）4ＣＨＦ3、
ＣＨＦ2ＣＦ（ＣＦ3）（ＣＦ2）4ＣＨＦ2、    ＣＨ3ＣＨ2ＣＨ（ＣＦ3）ＣＦ2ＣＦ2ＣＦ2ＣＦ3、
ＣＨ3ＣＦ（ＣＦ2ＣＦ3）ＣＨＦＣＦ2ＣＦ2ＣＦ3、    ＣＨ3ＣＦ（ＣＦ2ＣＦ3）ＣＨＦＣＦ2ＣＦ2ＣＦ3、
ＣＨ3ＣＨ2ＣＨ2ＣＨＦＣ（ＣＦ3）2ＣＦ3、    ＣＨ3Ｃ（ＣＦ3）2ＣＦ2ＣＦ2ＣＦ2ＣＨ3、
ＣＨ3ＣＨ2ＣＨ2ＣＦ（ＣＦ3）ＣＦ（ＣＦ3）2、およびＣＨ2ＦＣＦ2ＣＦ2ＣＨＦ（ＣＦ2）3ＣＦ3
からなる群から選択される、請求項４に記載の加工流体。
【請求項６】
ヒドロフルオロエーテル又は過フッ素化ケトンの少なくとも一つをさらに含む、請求項４に記載の加工流体。
【手続補正２】
【補正対象書類名】明細書
【補正対象項目名】００１４
【補正方法】変更
【補正の内容】
【００１４】
ヒドロフルオロカーボン
本発明の加工流体は、４〜約８個の炭素原子を含む少なくとも一種のＨＦＣを含む。適切なＨＦＣには、次のものが含まれる。
（１）次式の４炭素の線状または分枝状ＨＦＣ
Ｃ4ＨnＦ10-n  （ｎ≦５）
この分類の代表例は、次のものである。
ＣＦ3ＣＨ2ＣＦ2ＣＨ3、    ＣＦ3ＣＦ2ＣＨ2ＣＨ2Ｆ、
ＣＨ3ＣＦ（ＣＨＦ2）ＣＨＦ2、    ＣＦ3ＣＨ2ＣＦ2ＣＨ2Ｆ、
ＣＦ3ＣＨ2ＣＨ2ＣＦ3、    ＣＨ2ＦＣＦ2ＣＦ2ＣＨ2Ｆ2、
ＣＨＦ（ＣＦ3）ＣＦ2ＣＦ3、    ＣＨＦ2（ＣＦ2）2ＣＦ2Ｈ、
ＣＨ3ＣＨＦＣＦ2ＣＦ3、およびＣＨＦ2ＣＨ（ＣＦ3）ＣＦ3；
（２）次の実験式の５炭素の線状または分枝状ＨＦＣ
Ｃ5ＨnＦ12-n  （ｎ≦６）
この分類の代表例は、次のものである。
ＣＦ3ＣＨＦＣＨＦＣＦ2ＣＦ3、    ＣＨ3ＣＨＦＣＦ2ＣＦ2ＣＦ3、
ＣＦ3ＣＨ2ＣＦ2ＣＨ2ＣＦ3、    ＣＦ3ＣＨ2ＣＨ2ＣＦ2ＣＦ3、
ＣＨ3ＣＦ2ＣＦ2ＣＦ2ＣＦ3、    ＣＦ3ＣＨ2ＣＨＦＣＨ2ＣＦ3、
ＣＦ3ＣＨ2ＣＦ2ＣＨ2ＣＨ2Ｆ、    ＣＨＦ2ＣＦ2ＣＦ2ＣＦ2ＣＦ3、
ＣＨ3ＣＦ（ＣＦ2Ｈ）ＣＨＦＣＨＦ2、    ＣＨＦ2ＣＦ2ＣＦ（ＣＦ3）2、
ＣＨ3ＣＦ（ＣＨＦＣＨＦ2）ＣＦ3、    ＣＨ3ＣＨＦＣＨＦＣＦ2ＣＦ3、
ＣＨ3ＣＨ（ＣＦ2ＣＦ3）ＣＦ3、    ＣＦ3ＣＦ2ＣＦ2ＣＨ2ＣＨ3、
ＣＨＦ2ＣＨ（ＣＨＦ2）ＣＦ2ＣＦ3、    ＣＨ2ＦＣＦ2ＣＦ2ＣＦ2ＣＦ3、
ＣＨＦ2ＣＦ（ＣＨＦ2）ＣＦ2ＣＦ3、およびＣＨ3ＣＨＦＣＨ2ＣＦ2ＣＦ3；
（３）次の実験式の６炭素の線状または分枝状ＨＦＣ
Ｃ6ＨnＦl4-n  （ｎ≦７）
この分類の代表例は、次のものである。
ＣＨＦ2（ＣＦ2）4ＣＦ2Ｈ、    ＣＨ3ＣＦ2ＣＨ2ＣＨ2ＣＦ2ＣＦ3    ＣＨ2ＣＨ2ＣＨ2ＣＦ2ＣＦ2ＣＦ3、
（ＣＦ3ＣＨ2）2ＣＨＣＦ3、    ＣＨ3ＣＨ2ＣＦＨＣＦＨＣＦ2ＣＦ3、    ＣＨ3ＣＨＦＣＦ2ＣＨＦＣＨＦＣＦ3、
ＣＨ3ＣＨＦＣＨ2ＣＦ2ＣＨＦＣＦ3、    ＣＦ2ＨＣＨＦＣＦ2ＣＦ2ＣＨＦＣＦ2Ｈ、
ＣＨ2ＦＣＦ2ＣＦ2ＣＦ2ＣＦ2ＣＦ2Ｈ、    ＣＨＦ2ＣＦ2ＣＦ2ＣＦ2ＣＦ2ＣＨＦ2、
ＣＨＦ2ＣＦ2ＣＦ2ＣＦ2ＣＦ3、    ＣＨ3ＣＨ（ＣＨＦＣＨ2ＣＦ3）ＣＦ3、
ＣＨ3ＣＦ（ＣＦ2Ｈ）ＣＨＦＣＨＦＣＦ3、    ＣＨ3ＣＦ（ＣＦ3）ＣＨＦＣＨＦＣＦ3、
ＣＨ3ＣＦ2ＣＦ（ＣＦ3）2ＣＦ2ＣＨ3、    ＣＨ3ＣＦ（ＣＦ3）ＣＦ2ＣＦ2ＣＦ3、
ＣＨＦ2ＣＦ2ＣＨ（ＣＦ3）ＣＦ2ＣＦ3、およびＣＨＦ2ＣＦ2ＣＦ（ＣＦ3）ＣＦ2ＣＦ3；
（４）次の実験式の７炭素の線状または分枝状ＨＦＣ
Ｃ7ＨnＦ16-n  （ｎ≦８）
この分類の代表例は、次のものである。
ＣＨ3ＣＨ2ＣＨ2ＣＨＦＣＦ2ＣＦ2ＣＦ3、    ＣＨ3ＣＨＦＣＨ2ＣＦ2ＣＨＦＣＦ2ＣＦ3、
ＣＨ3（ＣＦ2）5ＣＨ3、    ＣＨ3ＣＨ2（ＣＦ2）4ＣＦ3、
ＣＦ3ＣＨ2ＣＨ2（ＣＦ2）3ＣＦ3、    ＣＨ2ＦＣＦ2ＣＨＦ（ＣＦ2）3ＣＦ3、
ＣＦ3ＣＦ2ＣＦ2ＣＨＦＣＨＦＣＦ2ＣＦ3、    ＣＦ3ＣＦ2ＣＦ2ＣＨＦＣＦ2ＣＦ2ＣＦ3、
ＣＨ3ＣＨ2ＣＨ2ＣＨＦＣＦ（ＣＦ3）2、    ＣＨ3ＣＨ（ＣＦ3）ＣＦ2ＣＦ2ＣＦ2ＣＨ3、
ＣＨ3ＣＦ（ＣＦ3）ＣＨ2ＣＦＨＣＦ2ＣＦ3、    ＣＨ3ＣＦ（ＣＦ2ＣＦ3）ＣＨＦＣＦ2ＣＦ3、
ＣＨ3ＣＨ2ＣＨ（ＣＦ3）ＣＦ2ＣＦ2ＣＦ3、    ＣＨＦ2ＣＦ（ＣＦ3）（ＣＦ2）3ＣＨ2Ｆ、および
ＣＨＦ2ＣＦ（ＣＦ3）（ＣＦ2）3ＣＦ3；
（５）次の実験式の８炭素の線状または分枝状ＨＦＣ
Ｃ8ＨnＦ18-n  （ｎ≦９）
この分類の代表例は、次のものである。
ＣＨ3ＣＨ2ＣＨ2ＣＨ2ＣＦ2ＣＦ2ＣＦ2ＣＦ3、    ＣＨ3（ＣＦ2）6ＣＨ3、
ＣＨＦ2ＣＦ（ＣＦ3）（ＣＦ2）4ＣＨＦ3、    ＣＨＦ2ＣＦ（ＣＦ3）（ＣＦ2）4ＣＨＦ2、
ＣＨ3ＣＨ2ＣＨ（ＣＦ3）ＣＦ2ＣＦ2ＣＦ2ＣＦ3、    ＣＨ3ＣＦ（ＣＦ2ＣＦ3）ＣＨＦＣＦ2ＣＦ2ＣＦ3、
ＣＨ3ＣＦ（ＣＦ2ＣＦ3）ＣＨＦＣＦ2ＣＦ2ＣＦ3、    ＣＨ3ＣＨ2ＣＨ2ＣＨＦＣ（ＣＦ3）2ＣＦ3、
ＣＨ3Ｃ（ＣＦ3）2ＣＦ2ＣＦ2ＣＦ2ＣＨ3、    ＣＨ3ＣＨ2ＣＨ2ＣＦ（ＣＦ3）ＣＦ（ＣＦ3）2、および
ＣＨ2ＦＣＦ2ＣＦ2ＣＨＦ（ＣＦ2）3ＣＦ3。